(57)【要約】【課題】１本針を用いて飾りしつけ縫目を所定間隔おきに任意の縫い方向に形成でき、機構が簡素であり、製造が容易であり、耐久性に優れた飾りしつけ縫いを行なうこと。【解決手段】鉤１を設けた針２を布を貫通して上下直線往復運動させるように駆動する針駆動機構１０と、縫い糸が刺し通され針に同期して前進後退往復運動するようにルーパ６１を駆動するルーパ駆動機構６０と、ルーパに刺し通された縫い糸を捌く糸スプレッダー６２を針及びルーパに同期して駆動する糸スプレッダー駆動機構１１０と、針及びルーパに同期して鉤を閉塞して縫い糸が鉤に引掛けられている状態を維持する開閉ピンを駆動する開閉ピン駆動機構１６０とを備えている。【選択図】図１
2004166817.tif 000002
【特許請求の範囲】
【請求項１】
鉤を設けた針を布を貫通して上下直線往復運動させ前記針に同期して前進後退往復運動するルーパとの協働により前記ルーパに刺し通されている縫い糸を絡めて前記布の上面に飾りしつけ縫目を形成して飾りしつけ縫いを行う飾りしつけ縫い方法であって、
第１運針時に前記針を前記布を貫通して下降させ、前記針の前記鉤に前記縫い糸を引掛け、前記鉤を閉塞して前記縫い糸が前記鉤に引掛けられている状態を維持しながら前記針を前記布の上面を越えて上昇させ、前記ルーパを後退点で滞留させ、前記布を１縫目分布送りし、
第２運針時に前記縫い糸が前記鉤に引掛けられている状態で前記針を前記布を貫通して下降させ、前記鉤を開放して前記鉤に引掛けられている前記縫い糸を前進しつつある前記ルーパの剣先で掬って前記縫い糸を前記鉤から外し、前記針を前記布の上面を越えて上昇させ、前記布を１縫目間分布送りし、
第３運針時に前記針を前記布を貫通して下降させて後退しつつある前記ルーパに刺し通された前記縫い糸を前記針の上昇時に前記鉤に引掛け、前記鉤を閉塞して前記縫い糸が前記鉤に引掛けられている状態を維持しながら前記針を前記布の上面を越えて上昇させると共に、１縫目前に掬った縫い糸を前記ルーパから解放し、前記ルーパを後退点で滞留させ、
前記第２運針、前記第３運針の動作を順次繰り返すことを特徴とする飾りしつけ縫い方法。
【請求項２】
前記第１運針時に前記針の前記鉤に前記縫い糸を引掛ける前に前記ルーパに刺し通された前記縫い糸を拡開することを特徴とする請求項１記載の飾りしつけ縫い方法。
【請求項３】
前記第２運針時に前記ルーパの剣先が前記縫い糸を掬うために前記針が最下位点の位置にある時点から前記第２運針時に前記ルーパの剣先が前記縫い糸を掬う迄に前記鉤を閉塞して前記縫い糸が前記鉤に引掛けられている状態を維持することを特徴とする請求項１記載の飾りしつけ縫い方法。
【請求項４】
前記第２運針時に前記ルーパの剣先が前記縫い糸を掬う動作は前記針が最下位点の直上の位置で行うことを特徴とする請求項１記載の飾りしつけ縫い方法。
【請求項５】
鉤を設けた針を布を貫通して上下直線往復運動させるように駆動する針駆動機構と、縫い糸が刺し通され前記針に同期して前進後退往復運動するようにルーパを駆動するルーパ駆動機構と、前記ルーパに刺し通された前記縫い糸を捌く糸スプレッダーを前記針及び前記ルーパに同期して駆動する糸スプレッダー駆動機構と、前記針及び前記ルーパに同期して前記鉤を閉塞して前記縫い糸が前記鉤に引掛けられている状態を維持する開閉ピンを駆動する開閉ピン駆動機構とを備えることにより、前記針、前記ルーパ、前記糸スプレッダー及び前記開閉ピンの協働により前記ルーパに刺し通されている前記縫い糸を絡めて前記布の上面に飾りしつけ縫目を形成して飾りしつけ縫いを行う飾りしつけ縫いミシンであって、
前記針駆動機構、前記ルーパ駆動機構、前記糸スプレッダー駆動機構及び前記開閉ピン駆動機構は、
第１運針時に前記針を前記布を貫通して下降させ、前記針の前記鉤に前記縫い糸を引掛け、前記開閉ピンにより前記鉤を閉塞して前記縫い糸が前記鉤に引掛けられている状態を維持しながら前記針を前記布の上面を越えて上昇させ、前記ルーパを後退点で滞留させ、前記布を１縫目分布送りし、
第２運針時に前記縫い糸が前記鉤に引掛けられている状態で前記針を前記布を貫通して下降させ、前記開閉ピンにより前記鉤を開放して前記鉤に引掛けられている前記縫い糸を前進しつつある前記ルーパの剣先で掬って前記縫い糸を前記鉤から外して前記糸スプレッダーにより前記ルーパに保持し、前記針を前記布の上面を越えて上昇させ、前記布を１縫目間分布送りし、
第３運針時に前記針を前記布を貫通して下降させて後退しつつある前記ルーパに刺し通された前記縫い糸を前記糸スプレッダーにより拡開し前記針の上昇時に前記鉤に引掛け、前記鉤を閉塞して前記縫い糸が前記鉤に引掛けられている状態を維持しながら前記針を前記布の上面を越えて上昇させると共に、１縫目前に掬った縫い糸を前記ルーパから解放し、前記ルーパを後退点で滞留させ、
前記第２運針、前記第３運針の動作を順次繰り返す、
ように前記針、前記ルーパ、前記糸スプレッダー及び前記開閉ピンを協働して作動させることを特徴とする飾りしつけ縫いミシン。
【請求項６】
前記第２運針時に前記ルーパの剣先が前記縫い糸を掬うために前記針が最下位点の位置にある時点から前記第２運針時に前記ルーパの剣先が前記縫い糸を掬う迄に前記鉤を閉塞して前記縫い糸が前記鉤に引掛けられている状態を維持する閉鎖カバーを設けたことを特徴とする請求項５記載の飾りしつけ縫いミシン。
【請求項７】
前記第２運針時に前記ルーパの剣先が前記縫い糸を掬う動作は前記針が最下位点の直上の位置で行うことを特徴とする請求項５記載の飾りしつけ縫いミシン。
【発明の詳細な説明】
【０００１】
【発明の属する技術分野】
本発明は、飾りしつけ縫い方法及びミシンに係り、特に１本針を用いて飾りしつけ縫目を所定間隔おきに任意の縫い方向に形成できる飾りしつけ縫い方法及びミシンに関する。
【０００２】
【従来の技術】
従来から、洋服の襟やポケットには、手縫いと同じ縫目（ＩＳＯ  ４９１５：１９９１（Ｅ／Ｆ）  ＣＬＡＳＳ  ２００  Ｓｔｉｔｃｈ  Ｔｙｐｅ  ２０９）でハンドステッチが行われている。
このハンドステッチを実行する幾つかのミシンが知られている（例えば、特許文献１、特許文献２参照）。
また、このハンドステッチの代わりに、ＩＳＯ  ４９１５：１９９１（Ｅ／Ｆ）  ＣＬＡＳＳ  １００  Ｓｔｉｔｃｈ  Ｔｙｐｅ  １０４として規定された擬似ハンドステッチ縫目がある（図１１）。
この擬似ハンドステッチを実行する方法又はミシンが知られている（例えば、特許文献３、特許文献４参照）。
【０００３】
【特許文献１】特公昭５８−３５７号公報  （第４図、第９図）
（＝米国特許第４，１２２，７８７号明細書）
【特許文献２】特開平４−１８３４９４号公報  （第３図、第１３図）
【特許文献３】特公昭５５−３５４８１号公報  （第６図、第７図）
【特許文献４】特公平４−３２３４号公報  （第７図、第１４図）
【発明が解決しようとする課題】
しかしながら、従来のハンドステッチミシンは、機構が極めて複雑であり、製造やメンテナンスが面倒であり、製造費が高額になるという難点がある。
一方、従来の擬似ハンドステッチ方法又はミシンは、２本針、２個のルーパを使用し、又は１本針、１個の釜、２個のフックを使用するので、機構が複雑であり、高価な部品を必要とし、製造が面倒であり、耐久性に劣るという多くの難点があった。
【０００４】
本発明は上述した難点に鑑みなされたもので、１本針を用いて飾りしつけ縫目を所定間隔おきに任意の縫い方向に形成でき、機構が簡素であり、製造が容易であり、耐久性に優れた飾りしつけ縫い方法及びミシンを提供することを目的としている。
【０００５】
【課題を解決するための手段】
このような目的を達成するため本発明の飾りしつけ縫い方法は、鉤を設けた針を布を貫通して上下直線往復運動させ針に同期して前進後退往復運動するルーパとの協働によりルーパに刺し通されている縫い糸を絡めて布の上面に飾りしつけ縫目を形成して飾りしつけ縫いを行うにあたり、第１運針時に針を布を貫通して下降させ、針の鉤に縫い糸を引掛け、鉤を閉塞して縫い糸が鉤に引掛けられている状態を維持しながら針を布の上面を越えて上昇させ、ルーパを後退点で滞留させ、布を１縫目分布送りし、第２運針時に縫い糸が鉤に引掛けられている状態で針を布を貫通して下降させ、鉤を開放して鉤に引掛けられている縫い糸を前進しつつあるルーパの剣先で掬って縫い糸を鉤から外し、針を布の上面を越えて上昇させ、布を１縫目間分布送りし、第３運針時に針を布を貫通して下降させて後退しつつあるルーパに刺し通された縫い糸を針の上昇時に鉤に引掛け、鉤を閉塞して縫い糸が鉤に引掛けられている状態を維持しながら針を布の上面を越えて上昇させると共に、１縫目前に掬った縫い糸をルーパから解放し、ルーパを後退点で滞留させ、第２運針、第３運針の動作を順次繰り返すことから成る。
【０００６】
この飾りしつけ縫い方法では、第１運針時に針の鉤に縫い糸を引掛ける前にルーパに刺し通された縫い糸は拡開される。
この飾りしつけ縫い方法では、第２運針時にルーパの剣先が縫い糸を掬うために針が最下位点の位置にある時点から第２運針時にルーパの剣先が縫い糸を掬う迄に鉤を閉塞して縫い糸が鉤に引掛けられている状態が維持される。
【０００７】
この飾りしつけ縫い方法では、第２運針時にルーパの剣先が縫い糸を掬う動作は針が最下位点の直上の位置で行なわれる。
また、本発明の飾りしつけ縫いミシンは、鉤を設けた針を布を貫通して上下直線往復運動させるように駆動する針駆動機構と、縫い糸が刺し通され針に同期して前進後退往復運動するようにルーパを駆動するルーパ駆動機構と、ルーパに刺し通された縫い糸を捌く糸スプレッダーを針及びルーパに同期して駆動する糸スプレッダー駆動機構と、針及びルーパに同期して鉤を閉塞して縫い糸が鉤に引掛けられている状態を維持する開閉ピンを駆動する開閉ピン駆動機構とを備えることにより、針、ルーパ、糸スプレッダー及び開閉ピンの協働によりルーパに刺し通されている縫い糸を絡めて布の上面に飾りしつけ縫目を形成して飾りしつけ縫いを行う飾りしつけ縫いミシンであって、針駆動機構、ルーパ駆動機構、糸スプレッダー駆動機構及び開閉ピン駆動機構は、第１運針時に針を布を貫通して下降させ、針の鉤に縫い糸を引掛け、開閉ピンにより鉤を閉塞して縫い糸が鉤に引掛けられている状態を維持しながら針を布の上面を越えて上昇させ、ルーパを後退点で滞留させ、布を１縫目分布送りし、第２運針時に縫い糸が鉤に引掛けられている状態で針を布を貫通して下降させ、開閉ピンにより鉤を開放して鉤に引掛けられている縫い糸を前進しつつあるルーパの剣先で掬って縫い糸を鉤から外して糸スプレッダーによりルーパに保持し、針を布の上面を越えて上昇させ、布を１縫目間分布送りし、第３運針時に針を布を貫通して下降させて後退しつつあるルーパに刺し通された縫い糸を糸スプレッダーにより拡開し針の上昇時に鉤に引掛け、鉤を閉塞して縫い糸が鉤に引掛けられている状態を維持しながら針を布の上面を越えて上昇させると共に、１縫目前に掬った縫い糸をルーパから解放し、ルーパを後退点で滞留させ、第２運針、第３運針の動作を順次繰り返すように針、ルーパ、糸スプレッダー及び開閉ピンを協働して作動させることから成る。
この飾りしつけ縫いミシンは、第２運針時にルーパの剣先が縫い糸を掬うために針が最下位点の位置にある時点から第２運針時にルーパの剣先が縫い糸を掬う迄に鉤を閉塞して縫い糸が鉤に引掛けられている状態を維持する閉鎖カバーが設けられる。
この飾りしつけ縫いミシンでは、第２運針時にルーパの剣先が縫い糸を掬う動作は針が最下位点の直上の位置で行なわれる。
この飾りしつけ縫い方法及びミシンによれば、１本針を用いて飾りしつけ縫目を所定間隔おきに任意の縫い方向に形成でき、機構が簡素であり、製造が容易であり、耐久性に優れたものとなる。
【０００８】
【発明の実施の形態】
以下、本発明の飾りしつけ縫い方法及びミシンをその好ましい実施の形態例について図面にしたがって説明する。
図１に示すように、本発明の飾りしつけ縫いミシンは、本体Ｂに設けられたモータＭと、モータＭからベルトＶによりプーリＰを介して回転駆動される上軸１１とを備えている。
飾りしつけ縫いミシンは、鉤１を設けた針２を布３（図７）を貫通して上下直線往復運動させるように駆動する針駆動機構１０を備えている。
図２に示すように、針駆動機構１０は、上軸１１の一端に固着されたクランク１２に連結されたクランクロッド１３が針２を取付けた針留１４に連結ピン１５を介して連結され、針留１４が本体Ｂに上下に摺動自在に取付けた針棒１６に沿って上下に駆動し、針２が上下直線往復運動するように構成されている。
図３に示すように、針棒１６の下端には開閉ピン留１６２が固着されている。開閉ピン留１６２には針２と開閉ピン１６１が貫通する開孔１６３が穿設されている。針２には、縫い糸４（図６）を引掛けるための鉤１と、針２の鉤１側に設けられ開閉ピン１６１が摺動する溝１６４とが設けられている。
開閉ピン１６１は止めネジ１６５によって開閉ピン留１６２に固定され開孔１６３を通って針棒１６の上下運動に伴い針２の溝１６４に沿って摺動する。
飾りしつけ縫いミシンは、縫い糸４が刺し通され針２に同期して前進後退往復運動するようにルーパ６１を駆動するルーパ駆動機構６０を備えている（図１）。上軸１１は歯数比１：１の第１のスパイラルギア６３ａ、６３ｂを介して回転駆動される縦軸６４から歯数比１：２の第２のスパイラルギア６３ｃ、６３ｄを介してルーパ駆動機構６０を駆動する横軸６５に伝達されている。横軸６５は本体Ｂに回転自在に設けられ、上軸１１と直交して配置されている。
図４に示すように、ルーパ駆動機構６０は、横軸６５の一端に固着された平面変形溝カム６６により摺動枠６８に固着されたピン７０に回転自在に取付られたカムフロワ６７を従動させ、摺動枠６８が本体Ｂに取付られた案内軸６９と横軸６５で案内される案内溝６８ａに沿って線形的に摺動し、ピン７０がルーパ駆動リンク７１を介して駆動腕７２でルーパ軸７３を揺動させ、ルーパ取付腕７４に取付られたルーパ６１に伝達される。これによりルーパ駆動機構６０は、縫い糸４が刺し通され針２に同期して前進後退往復運動するべくルーパ６１を駆動するように構成されている。なお、ルーパ６１には、その剣先６１ａの後方上面に、刺し通された縫い糸４の糸出口６１ｂ（図６）が形成されている。
飾りしつけ縫いミシンは、ルーパ６１に刺し通された縫い糸４を捌く糸スプレッダー６２を針２及びルーパ６１に同期して駆動する糸スプレッダー駆動機構１１０を備えている（図１）。
図５に示すように、糸スプレッダー駆動機構１１０は、横軸６５の中間部に固着された三角カム１１１によりヨークカムフロワ１１２を従動させ、ヨークカムフロワ１１２がそのヨーク連結部１１３を介して糸スプレッダー駆動腕１１４を揺動し、ルーパ６１にピン６２ｃで枢着されバネ１１５で図５で見て時計方向（縫目の形成方向）に弾撥された糸スプレッダー６２の突起６２ａに伝達される。これにより糸スプレッダー駆動機構１１０は、ルーパ６１に刺し通された縫い糸４を捌く糸スプレッダー６２を針２及びルーパ６１に同期して駆動するように構成されている。なお、糸スプレッダー６２の先端部には縫い糸４を捌くためのフック６２ｂが形成されている。
飾りしつけ縫いミシンは、針２及びルーパ６１に同期して鉤１を閉塞して縫い糸４が鉤１に引掛けられている状態を維持する開閉ピン１６１を駆動する開閉ピン駆動機構１６０を備えている（図１）。
図２、図３に示すように、開閉ピン駆動機構１６０は、上軸１１に固着される偏心カム１６５により開閉ピン駆動ロッド１６６を往復揺動させて第１のピン１６７で連結され軸１７４で本体Ｂに回転自在に設けられたロッド１６８の第１の腕１６９を往復揺動させ、ロッド１６８の第２の腕１７０により第２のピン１７１で連結された連結リンク１７２から針棒１６と一体的に取付られた針棒抱き１７３を介して針棒１６を駆動し、開閉ピン留１６２を介して固着された開閉ピン１６１を駆動する。これにより開閉ピン駆動機構１６０は、針２及びルーパ６１に同期して鉤１を閉塞して縫い糸４が鉤１に引掛けられている状態を維持し開閉ピン１６１を駆動するように構成されている。
基本的に、本発明の飾りしつけ縫いミシンは、針２、ルーパ６１、糸スプレッダー６２及び開閉ピン１６１の協働によりルーパ６１に刺し通されている縫い糸４を絡めて布３の上面に飾りしつけ縫目３ａ、下面にしつけ縫目３ｂを形成して飾りしつけ縫いを行う機能を実行するように構成されている（図７）。
【０００９】
この飾りしつけ縫いミシンは、針駆動機構１０、ルーパ駆動機構６０、糸スプレッダー駆動機構１１０及び開閉ピン駆動機構１６０により、第１運針時に針２を布３を貫通して下降させ、針２の鉤１に縫い糸４を引掛け、開閉ピン１６１により鉤１を閉塞して縫い糸４が鉤１に引掛けられている状態を維持しながら針２を布３の上面を越えて上昇させ、ルーパ６１を後退点で滞留させ、布３を１縫目分ｔ（図１１）布送りし、第２運針時に縫い糸４が鉤１に引掛けられている状態で針２を布３を貫通して下降させ、開閉ピン１６１により鉤１を開放して鉤１に引掛けられている縫い糸４を前進しつつあるルーパ６１の剣先６１ａで掬って縫い糸４を鉤１から外して糸スプレッダー６２によりルーパ６１に保持し、針２を布３の上面を越えて上昇させ、布３を１縫目間分布送りし、第３運針時に針２を布３を貫通して下降させて後退しつつあるルーパ６１に刺し通された縫い糸４を糸スプレッダー６２により拡開し針２の上昇時に鉤１に引掛け、鉤１を閉塞して縫い糸４が鉤１に引掛けられている状態を維持しながら針２を布３の上面を越えて上昇させると共に、１縫目前に掬った縫い糸４をルーパ６１から解放し、ルーパ６１を後退点で滞留させ、第２運針、第３運針の動作を順次繰り返すように針２、ルーパ６１、糸スプレッダー６２及び開閉ピン１６１を協働して作動させる機能をシーケンシャルに実行するように構成されている。
図６に示すように、この飾りしつけ縫いミシンは、第２運針時にルーパ６１の剣先６１ａが縫い糸４を掬うために針２が最下位点ＬＤＰの位置にある時点から第２運針時にルーパ６１の剣先６１ａが縫い糸４を掬う迄に鉤１を閉塞して縫い糸４が鉤１に引掛けられている状態を維持する閉鎖カバー１８０が設けられる。閉鎖カバー１８０は止めねじ（図示せず）で本体Ｂに固定されている。
この飾りしつけ縫いミシンは、第２運針時にルーパ６１の剣先６１ａが縫い糸４を掬う動作は針２が最下位点ＬＤＰの直上の位置で行なわれる。
このように構成された飾りしつけ縫いミシンにおいて、針駆動機構１０、ルーパ駆動機構６０、糸スプレッダー駆動機構１１０及び開閉ピン駆動機構１６０を駆動させ、鉤１を設けた針２を布３を貫通して上下直線往復運動させ針２に同期して前進後退往復運動するルーパ６１との協働によりルーパ６１に刺し通されている縫い糸４を絡めて布３の上面に飾りしつけ縫目３ａ（図７）を形成して飾りしつけ縫いを行うものである（図８（ａ）〜図８（ｅ））。
即ち、モータＭからベルトＶを介してプーリＰにより上軸１１が回転駆動され、第１運針時に、針駆動機構１０により上軸１１の一端に固着されたクランク１２に連結されたクランクロッド１３が針２を取付けた針留１４に連結ピン１５を介して駆動され、針留１４が本体Ｂに上下に摺動自在に取付けた針棒１６に沿って下方向に駆動され、針２を下降させルーパ６１を後退させる（図８（ａ））。
開閉ピン駆動機構１６０は、上軸１１に固着される偏心カム１６５により開閉ピン駆動ロッド１６６を往復揺動させて第１のピン１６７で連結され軸１７４で本体Ｂに回転自在に設けられたロッド１６８の第１の腕１６９を往復揺動させ、ロッド１６８の第２の腕１７０により第２のピン１７１で連結された連結リンク１７２から針棒１６と一体的に取付られた針棒抱き１７３を介して針棒１６を駆動し、開閉ピン留１６２を介して固着された開閉ピン１６１を駆動する。開閉ピン駆動機構１６０で開閉ピン１６１により針２の鉤１を閉塞して針２を布３を貫通し、開閉ピン駆動機構１６０で開閉ピン１６１により針２の鉤１を開く。糸スプレッダー駆動機構１１０で横軸６５の中間部に固着された三角カム１１１によりヨークカムフロワ１１２を従動させ、ヨークカムフロワ１１２がそのヨーク連結部１１３を介して糸スプレッダー駆動腕１１４を揺動し、ルーパ６１にピン６２ｃで枢着されバネ１１５で図５で見て時計方向（縫目の形成方向）に弾撥された糸スプレッダー６２の突起６２ａに伝達される。針２は糸スプレッダー６２がルーパ６１に刺し通された縫い糸４を捌いて糸出口６１ｂ、フック６２ｂで拡開した状態で下降される（図８（ｂ））。
ルーパ駆動機構６０により横軸６５の一端に固着された平面変形溝カム６６により摺動枠６８に固着されたピン７０に回転自在に取付られたカムフロワ６７を従動させ、摺動枠６８が本体Ｂに取付られた横軸６５と案内軸６９に沿って線形的に摺動し、ピン７０がルーパ駆動リンク７１を介して駆動腕７２でルーパ軸７３を揺動させ、ルーパ取付腕７４に取付られたルーパ６１に伝達される。針２が最下位点ＬＤＰから上昇するときルーパ６１の後退に伴い縫い糸４が針２に当接し針２の鉤１に縫い糸４を引掛ける（図８（ｃ））。
開閉ピン駆動機構１６０で開閉ピン１６１により針２の鉤１を閉塞して縫い糸４が鉤１に引掛けられている状態を維持しながら針２を布３の上面を越えて上昇させられる（図８（ｄ））。
ルーパ６１を後退点で滞留させ、布３を１縫目分ｔ（図１１）布送りする（図８（ｅ））。
第２運針時に縫い糸４が鉤１に引掛けられている状態で針２を布３を貫通して下降させ、開閉ピン駆動機構１６０により開閉ピン１６１で鉤１を開放して鉤１に引掛けられている縫い糸４を、閉鎖カバー１８０で縫い糸４が鉤１に引掛けられている状態を維持しながら、針２の最下位点ＬＤＰの直上の位置において前進しつつあるルーパ６１の剣先６１ａで掬う（図９（ａ））。縫い糸４を鉤１から外し、掬った縫い糸４をルーパ６１で掛け止めされた状態で針２を布３の上面を越えて上昇させ、布３を１縫目間分ｒ（図１１）布送りする（図９（ｂ））。
第３運針時に針２を布３を貫通して下降させ、糸スプレッダー駆動機構１１０の糸スプレッダー６２で縫い糸４を拡開すると共に、ルーパ６１に掛け止めされた縫い糸４の糸ループをルーパ６１の後方に保持した状態で針２は拡開された縫い糸４と縫い糸４の糸ループの間に下降させる（図１０（ａ））。
後退しつつあるルーパ６１に刺し通され糸スプレッダー６２で拡開された縫い糸４を針２が最下位点ＬＤＰから上昇するときルーパ６１の後退に伴い縫い糸４が針２に当接し針２の鉤１に縫い糸４を引掛ける（図１０（ｂ））。開閉ピン駆動機構１６０により開閉ピン１６１で鉤１を閉塞して縫い糸４が鉤１に引掛けられている状態を維持しながら針２を布３の上面を越えて上昇させると共に、ルーパ６１に掛け止めされた縫い糸４をルーパ６１から解放して、ルーパ６１に掛け止めされた縫い糸４のループの中を通って鉤１に引掛けられている縫い糸４が上昇することになり、ルーパ６１は後退点で滞留される（図１０（ｃ））。
この飾りしつけ縫い方法は、以上の第２運針、第３運針の動作を順次繰り返すことから成る。
このように１本針を用いて布３の上面に飾りしつけ縫目３ａ（図７、図１１）を形成して飾りしつけ縫いを行なうことができる。
この場合、糸スプレッダーの糸捌きにより目跳びの発生が回避されるので一定長の飾りしつけ縫目を所定間隔おきに１目毎に任意の縫い方向に形成できる。
【００１０】
この飾りしつけ縫い方法及びミシンによれば、１本針を用いて飾りしつけ縫目を所定間隔おきに任意の縫い方向に形成できるのでパッチワークやキルトの縫製に好適で、而も、機構が簡素であり、製造が容易であり、耐久性に優れたものとなる。
【００１１】
【発明の効果】
以上の説明から明らかなように、本発明の飾りしつけ縫い方法及びミシンによれば、１本針を用いて飾りしつけ縫目を所定間隔おきに任意の縫い方向に形成でき、機構が簡素であり、製造が容易であり、耐久性に優れたものとなる。
【図面の簡単な説明】
【図１】本発明による飾りしつけ縫いミシンの全体を示す斜視図。
【図２】本発明による飾りしつけ縫いミシンの針駆動機構と開閉ピン駆動機構の形態例を示す斜視図。
【図３】本発明による飾りしつけ縫いミシンの針と開閉ピンの形態例を示す斜視図。
【図４】本発明による飾りしつけ縫いミシンのルーパ駆動機構を示す斜視図。
【図５】本発明による飾りしつけ縫いミシンの糸スプレッダー駆動機構を示す斜視図。
【図６】本発明による飾りしつけ縫いミシンの針、ルーパ及び閉鎖カバーを示す斜視図。
【図７】本発明による飾りしつけ縫いミシンで形成される縫目を示す斜視図。
【図８】本発明による飾りしつけ縫いミシンにおける第１運針を示す動作斜視図。
【図９】本発明による飾りしつけ縫いミシンにおける第２運針を示す動作斜視図。
【図１０】本発明による飾りしつけ縫いミシンにおける第３運針を示す動作斜視図。
【図１１】飾りしつけ縫目を示す断面図。
【符号の説明】
１・・・・・鉤
２・・・・・針
３・・・・・布
４・・・・・縫い糸
１０・・・・・針駆動機構
６１・・・・・ルーパ
６１ａ・・・・・剣先
６０・・・・・ルーパ駆動機構
６２・・・・・糸スプレッダー
１１０・・・・・糸スプレッダー駆動機構
１６０・・・・・開閉ピン駆動機構
１６１・・・・・開閉ピン
１８０・・・・・閉鎖カバー
ＬＤＰ・・・・・最下位点
ｔ・・・・・１縫目分
ｒ・・・・・１縫目間分
３ａ・・・・・しつけ縫目
【図１】
2004166817.tif 000003
【図２】
2004166817.tif 000004
【図３】
2004166817.tif 000005
【図４】
2004166817.tif 000006
【図５】
2004166817.tif 000007
【図６】
2004166817.tif 000008
【図７】
2004166817.tif 000009
【図８】
2004166817.tif 000010
【図９】
2004166817.tif 000011
【図１０】
2004166817.tif 000012
【図１１】
2004166817.tif 000013